(57)【要約】【課題】この発明は、データ通信のセキュリティーを高めることができ十分な通信距離を確保できる無線ＩＣ冊子を提供することを課題とする。【解決手段】冊子１は、複数枚の中紙６および無線ＩＣシート８を２枚の表紙２、４で綴じて形成されている。無線ＩＣシート８は、ＬＳＩ１２およびアンテナ１４を有する。表紙２、４の内面には、アモルファス金属シート１６がそれぞれ貼り付けられている。【選択図】      図１
2006099562.tif 000002
【特許請求の範囲】
【請求項１】
ＬＳＩおよびアンテナを有するＩＣシートと、
アモルファス金属層を有するアンチスキミングシートと、
を綴じたことを特徴とする無線ＩＣ冊子。
【請求項２】
上記アモルファス金属層は、上記アンテナに少なくとも部分的に重なる位置に設けられていることを特徴とする請求項１に記載の無線ＩＣ冊子。
【請求項３】
上記アモルファス金属層は、上記アンテナ全体を覆う大きさに形成されていることを特徴とする請求項１に記載の無線ＩＣ冊子。
【請求項４】
上記ＩＣシートとアンチスキミングシートを密着させた状態で、上記アンテナとアモルファス金属層との間にギャップが形成されることを特徴とする請求項１乃至請求項３のいずれか１項に記載の無線ＩＣ冊子。
【請求項５】
上記ＩＣシートとアンチスキミングシートの間に少なくとも１枚の中紙を綴じたことを特徴とする請求項４に記載の無線ＩＣ冊子。
【請求項６】
上記アモルファス金属層は、上記アンチスキミングシートの上記ＩＣシートから離間した側に貼り付けられていることを特徴とする請求項４に記載の無線ＩＣ冊子。
【請求項７】
ＬＳＩおよびアンテナを有するＩＣシートと、
複数枚の中紙と、
アモルファス金属層をそれぞれ有する２枚の表紙と、
を綴じたことを特徴とする無線ＩＣ冊子。
【請求項８】
上記ＩＣシートは、上記複数枚の中紙の間に配置されていることを特徴とする請求項７に記載の無線ＩＣ冊子。
【請求項９】
上記２枚の表紙のアモルファス金属層は、上記ＩＣシートのアンテナに少なくとも部分的に重なる位置にそれぞれ設けられていることを特徴とする請求項７または請求項８に記載の無線ＩＣ冊子。
【請求項１０】
上記２枚の表紙のアモルファス金属層は、それぞれ、上記アンテナ全体を覆う大きさに形成されていることを特徴とする請求項７または請求項８に記載の無線ＩＣ冊子。
【請求項１１】
ＬＳＩおよびアンテナを有するＩＣシートと、
複数枚の中紙と、
２枚の表紙と、を綴じ、
アモルファス金属層を有するカバーを上記表紙に取り付けたことを特徴とする無線ＩＣ冊子。
【発明の詳細な説明】
【技術分野】
【０００１】
この発明は、非接触で外部とデータ通信が可能な無線ＩＣ冊子に関する。
【背景技術】
【０００２】
従来、無線ＩＣ冊子として、表紙に電磁波を遮断もしくは通しにくいシールド部材を用いた冊子が知られている（例えば、特許文献１参照。）。この冊子の内部には、非接触で外部と電波により情報の授受が可能なＩＣチップおよびアンテナを有するＩＣユニットが設けられている。
【０００３】
この冊子では、シールド部材として、アルミニウム、銅、鉄等の金属、パーマロイ等の合金、フェライト等を用いており、表紙を開いてＩＣユニットを情報読取ユニットに対向させて情報の授受を行なう際に、アンテナから出る電磁波をシールドするようにしている。これにより、外部からの盗聴電波による偽造や変造を防止するようにしている。
【０００４】
しかし、上述したパーマロイやフェライトをシールド部材として用いた場合、十分な磁気シールド機能を果たす反面、渦電流による損失が比較的大きく、エネルギーロスが大きいため、通信距離が短くなってしまう問題があった。
【特許文献１】特開平１１−３４８４７１号公報（段落［００１４］、図６）
【発明の開示】
【発明が解決しようとする課題】
【０００５】
この発明の目的は、データ通信のセキュリティーを高めることができ十分な通信距離を確保できる無線ＩＣ冊子を提供することにある。
【課題を解決するための手段】
【０００６】
上記目的を達成するため、本発明の無線ＩＣ冊子は、ＬＳＩおよびアンテナを有するＩＣシートと、アモルファス金属層を有するアンチスキミングシートと、を綴じて形成されている。
【０００７】
また、本発明の無線ＩＣ冊子は、ＬＳＩおよびアンテナを有するＩＣシートと、複数枚の中紙と、アモルファス金属層をそれぞれ有する２枚の表紙と、を綴じて形成されている。
【０００８】
更に、本発明の無線ＩＣ冊子は、ＬＳＩおよびアンテナを有するＩＣシートと、複数枚の中紙と、２枚の表紙と、を綴じ、アモルファス金属層を有するカバーを上記表紙に取り付けて形成されている。
【０００９】
上記発明によると、ＬＳＩおよびアンテナを有するＩＣシートにアモルファス金属層を重ねたため、渦電流による損失を比較的小さくでき、通信距離を保ったまま、アンテナから出る電磁波を効果的に遮断できる。
【発明の効果】
【００１０】
この発明の無線ＩＣ冊子は、上記のような構成および作用を有しているので、データ通信のセキュリティーを高めることができ十分な通信距離を確保できる。
【発明を実施するための最良の形態】
【００１１】
以下、図面を参照しながらこの発明の実施の形態について詳細に説明する。  
図１には、この発明の実施の形態に係る無線ＩＣ冊子１（以下、単に、冊子１と称する）を開いた状態の概略斜視図を示してある。また、図２には、冊子１を図１矢印II方向から見た図を示してある。冊子１として、例えば、銀行の預金通帳、パスポート、社員証、学生証などがある。
【００１２】
冊子１は、矩形の２枚の表紙２、４（１枚の表紙を２つ折りにしても良い）の間に略同じ形の複数枚の中紙６を挟んで一辺を綴じて形成されている。２枚の表紙２、４は、この発明のアンチスキミングシートとして機能する。
【００１３】
また、複数枚の中紙６の間には、無線ＩＣシート８（ＩＣシート）が綴じ込まれている。本実施の形態では、無線ＩＣシート８は、複数枚の中紙６の略中間に挟まれて配置されている。この無線ＩＣシート８は、ＬＳＩ１２およびコイルアンテナ１４を有する。
【００１４】
さらに、２枚の表紙２、４の内面には、アモルファス金属シート１６（アモルファス金属層）が貼り付けられている。アモルファス金属シート１６も、２枚の表紙２、４をつなげて設けても良く、各表紙２、４それぞれに設けても良い。
【００１５】
無線ＩＣシート８のＬＳＩ１２およびアンテナ１４は、図３に示す等価回路を構成している。しかして、無線ＩＣシート８は、後述するリーダ・ライタ２０から供給される磁力線をアンテナ１４を介して電力に変換し、この電力によってＬＳＩ１２を動作させ、残りの電力でリーダ・ライタ２０にレスポンスを返す。このように、無線ＩＣシート８は、非接触によりリーダ・ライタ２０との間でデータ通信を行なう。
【００１６】
なお、無線ＩＣシート８は、厚さ０．０３８［ｍｍ］のポリエチレンテフタレート（ＰＥＴ）の基材（図示せず）上に厚さ０．０３［ｍｍ］のアンテナ１４のパターンをアルミニウムにより形成し、且つＬＳＩ１２をフリップチップ方式により実装し、さらにこのＰＥＴの表裏面をＰＥＴ−Ｇシート（図示せず）で挟んで真空ホットプレスにて一体化することで形成されている。
【００１７】
アモルファス金属シート１６は、厚さ０．１［ｍｍ］のアモルファス金属により形成され、冊子１を綴じた場合に、無線ＩＣシート８のアンテナ１４の全体を覆う大きさに形成されている。本実施の形態では、アモルファス金属シート１６は、２枚の表紙２、４の略全面に貼り付けられている。
【００１８】
上記構造の冊子１をリーダ・ライタ２０に翳す際、図４に示すように、冊子１を綴じた状態でリーダ・ライタ２０のアンテナ２２（以下、Ｒ／Ｗアンテナ２２と称する）に近付けると、無線ＩＣシート８のアンテナ１４とＲ／Ｗアンテナ２２との間にアモルファス金属シート１６が介在されて通信が不能となる。
【００１９】
一方、図５に示すように、冊子１を開いて無線ＩＣシート８をＲ／Ｗアンテナ２２に近付けると、Ｒ／Ｗアンテナ２２からの磁力線３０が冊子１のアンテナ１４を通り、ＬＳＩ１２とリーダ・ライタ２０との間で通信が可能となる。このとき、アモルファス金属シート１６が無線ＩＣシート８に対してリーダ・ライタ２０から離間した側に配置されているため、Ｒ／Ｗアンテナ２２からの磁力線３０が通帳１を通り抜けて外部に漏洩することがなく、盗聴の心配がない。つまり、アモルファス金属シート８が、高い透磁率を有するため、電磁波を効果的に遮蔽する。
【００２０】
また、このとき、アモルファス金属シート８は、鉄などの金属シートと比較して、電磁波により生じる渦電流による損失が少ないため、エネルギーロスが少なく、通信距離を略維持できる。言い換えると、シールド部材としてアモルファス金属シート８を採用することで、電磁波を十分に遮蔽できるとともに十分な通信距離を確保できる。
【００２１】
さらに、アモルファス金属シート１６を採用した場合、アモルファス金属シート１６とアンテナ１４との間にギャップを設ける必要がある。つまり、両者の間にギャップを設けることで、図５に示すように、Ｒ／Ｗアンテナ２２から発せられる磁力線３０がアモルファス金属シート１６の手前でシート１６に沿って通るため、アンテナ１４との間にギャップが無いと通信が困難になる。本実施の形態では、このギャップを確保するため、アンテナ１４を有する無線ＩＣシート８を複数枚の中紙６の丁度中間あたりに配置して、複数枚の中紙６によってギャップを形成するようにした。或いは、ギャップを確保するため、アモルファス金属シート１６を表紙２、４の表側に貼り付けて表紙の厚さでギャップを形成するようにしても良い。
【００２２】
以上のように、本実施の形態によると、ＬＳＩ１２およびアンテナ１４を有する無線ＩＣシート８を綴じた冊子１の表紙２、４にアモルファス金属シート１６を貼り付けたため、リーダ・ライタ２０のアンテナ２２に翳した状態で、データ通信による電磁波が外部に漏れることを防止でき、盗聴電波によってデータが改竄されたりすることを防止できる。
【００２３】
また、本実施の形態によると、電磁波のシールド層としてアモルファス金属を用いたため、渦電流による損失を小さくでき、エネルギーロスを小さくでき、シールド層を設けない場合と比較して通信距離が短くなる不具合を防止できる。つまり、本実施の形態によると、十分な通信距離を確保した上で、データ通信のセキュリティーを向上させることがでる。
【００２４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２５】
例えば、上述した実施の形態では、冊子１の表紙２、４の略全面にアモルファス金属シート１６を貼り付けた場合について説明したが、これに限らず、無線ＩＣシート８のアンテナ１４に少なくとも部分的に重なる位置にアモルファス金属層を設ければ良い。
【００２６】
また、冊子１の表紙２、４を被覆する図示しないカバーにアモルファス金属シートを設けても良く、上述した実施の形態と同様の効果を奏することができる。
【図面の簡単な説明】
【００２７】
【図１】この発明の実施の形態に係る冊子を示す斜視図。
【図２】図１の冊子を矢印II方向から見た図。
【図３】図１の冊子の無線ＩＣシートに組み込まれたＬＳＩおよびアンテナの等価回路を示す図。
【図４】図１の冊子を綴じた状態でリーダ・ライタに翳した状態を示す図。
【図５】図１の冊子を開いた状態でリーダ・ライタに翳した状態を示す図。
【符号の説明】
【００２８】
１…冊子、２、４…表紙、６…中紙、８…無線ＩＣシート、１２…ＬＳＩ、１４…アンテナ、１６…アモルファス金属シート、２０…リーダ・ライタ、２２…Ｒ／Ｗアンテナ、３０…磁力線。
【図１】
2006099562.tif 000003
【図２】
2006099562.tif 000004
【図３】
2006099562.tif 000005
【図４】
2006099562.tif 000006
【図５】
2006099562.tif 000007